(57)【要約】【課題】本発明はバスケットボールゴールカウント装置を開示した。【解決手段】バスケットを含み、前記バスケットの中には左右に対称している且つ上に開口しているスライドチャンバが設置され、前記スライドチャンバの中には平行移動装置が設置され、前記平行移動装置の底端外側にはバスケットゴールネットが設置され、左端にある前記スライドチャンバの上側端面にはディスプレー板が設置され、前記ディスプレー板の中にはバスケットと連通し連結される伝動チャンバが設置され、本発明のバスケットボールの落下の運動エネルギーが設備を起動して動力を供給し、機械式のカウント構造を伝動させることを開始するようになっていて、且つゴール数が百に達すると自動的にゼロに戻る。【選択図】図１
2020175093.tif 000002
【特許請求の範囲】
【請求項１】
バスケットボールゴールカウント装置は、バスケットを含み、前記バスケットの中には左右に対称している且つ上に開口しているスライドチャンバが設置され、前記スライドチャンバの中には平行移動装置が設置され、前記平行移動装置の底端外側にはバスケットゴールネットが設置され、左端にある前記スライドチャンバの上側端面にはディスプレー板が設置され、前記ディスプレー板の中にはバスケットと連通し連結される伝動チャンバが設置され、前記伝動チャンバの中には支えブロックが設置され、前記支えブロックには前記平行移動装置に制御される連結装置が回転できるように連結され、前記伝動チャンバの中には前記連結装置の上端に位置しており、且つ前記連結装置に制御される一の位ディスプレーが設置され、前記伝動チャンバの後端内壁にはスライドロッドが設置され、前記スライドロッドには上下に貫通しているスライドレールが設置され、前記スライドレールの中にはローラー枠がスライドできるように連結され、前記ローラー枠の後端と前記スライドレールと間には圧縮バネが連結され、前記ローラー枠には十の位ディスプレーが設置され、前記十の位ディスプレーがそれぞれ前記平行移動装置と前記一の位ディスプレーとに制御される；バスケットボールが前記バスケットゴールネットを通した後に、前記平行移動装置を引き動かし対称中心側に移動させ、その時、前記十の位ディスプレーを前に移動させ、また前記連結装置に通させ、前記連結装置が機械伝動により前記一の位ディスプレーを回転させ、前記一の位ディスプレーが九回に作動するたびに、前記一の位ディスプレーが復帰し、且つ前記十の位ディスプレーを作動させ、これによって類推し、前記十の位ディスプレーに表示された数字がゼロになるまで、完全な百回のゴールであることを特徴とするバスケットボールゴールカウント装置。
【請求項２】
前記平行移動装置は前記スライドチャンバの底端内壁とスライドできるように連結される支え枠を含み、前記支え枠には固定軸が回転できるように連結され、前記固定軸にはリールが設置され、前記リールと前記支え枠との間にはねじりばねが連結され、前記リールには前記バスケットゴールネットと固定的に連結される引きひもが設置され、前記支え枠のうち対称中心に遠離する端と前記スライドチャンバのうち対称中心に遠離する内壁との間には引っ張りバネが連結され、前記支え枠の上端には歯板が設置され、左端にある前記歯板の上側端面には押しブロックが設置され、バスケットボールが前記バスケットゴールネットを通す時に、バスケットボールの運動エネルギーにより前記バスケットゴールネットを引き動かし、また前記引きひもにより、前記支え枠と前記支え枠と連結される部品とを対称中心に移動させることを特徴とする請求項１に記載のバスケットボールゴールカウント装置。
【請求項３】
前記連結装置は前記支えブロックと回転できるように連結される伝動軸を含み、前記伝動軸には前記支えブロックの後端に位置しているウォームが設置され、前記伝動軸には前記支えブロックの前端に位置している収納枠が設置され、前記収納枠の中には伸縮チャンバが設置され、前記伸縮チャンバの前端内壁には動力軸が回転できるように連結され、前記動力軸には前記歯板と噛み合い連結される歯車が設置され、前記動力軸には前記伸縮チャンバの中に位置しているねじ山盤が設置され、前記伸縮チャンバの内壁には前記歯板と当接しており、且つ配列するように分布している八つの歯元ロッドがスライドできるように連結され、前記歯元ロッドと前記ねじ山盤との間がねじ山により連結され、前記歯元ロッドが前記ねじ山盤で伸縮スライドできることを利用し、前記歯板と当接している関係を選び、構造の一方回転を実現することを特徴とする請求項１または請求項２に記載のバスケットボールゴールカウント装置。
【請求項４】
前記一の位ディスプレーは前記伝動チャンバの内壁と回転できるように連結される駆動軸を含み、前記駆動軸には渦状紋により連結されるウォームホイールが設置され、前記駆動軸には前記ウォームホイールの左端に位置している主プーリが設置され、前記伝動チャンバの中には前記駆動軸の上端に位置する従動軸が回転できるように連結され、前記従動軸の中には副プーリが設置され、前記副プーリと前記主プーリとの間にはベルトが連結され、前記従動軸には前記副プーリの右端に位置している間欠回し輪が設置され、前記伝動チャンバの右端内壁には前記間欠回し輪と当接している目盛板がスライドできるように連結され、前記目盛板の下端の中には開口溝が設置され、前記伝動チャンバの後端内壁には観察孔が連通し設置され、前記間欠回し輪により前記目盛板を回し上に移動させ、また観察孔により数を観察することを特徴とする請求項１または請求項３に記載のバスケットボールゴールカウント装置。
【請求項５】
前記十の位ディスプレーは前記伝動チャンバの中に設置され、且つ左右に伸びている回し軸を含み、前記回し軸には自体にピンを持ち、且つ弾性回復できる回転ロッドが回転できように連結され、前記回転ロッドと前記開口溝との間が当接し連結され、前記ローラー枠には上下に対称している回転軸が回転できように連結され、前記回転軸に鎖歯車が設置され、前記鎖歯車の間にはチェーンが連結され、下端にある前記回転軸には前記回転ロッドと当接している回し輪が設置され、上端にある前記回転軸には前記鎖歯車の右端に位置している指示盤が設置され、前記ローラー枠の下端の中には前記押しブロックと当接している当接ブロックが設置され、前記押しブロックが前記当接ブロックを押し、前記ローラー枠を前に移動させ、前記目盛板が前記間欠回し輪との当接を離脱するたびに、前記目盛板が自由に下に移動し、且つ前記回転ロッドをプッシュし回転させ、その時、機械伝動により前記指示盤に指数を切り替えさせることを特徴とする請求項１または請求項４に記載のバスケットボールゴールカウント装置。
【発明の詳細な説明】
【技術分野】
【０００１】
本発明はおもちゃ用品技術分野に関わり、具体的にはバスケットボールゴールカウント装置である。
【背景技術】
【０００２】
子供はプロバスケットボールのシュートの練習をする時に、子供の記憶力が自分のゴールの数を覚えられるとは限らないので、基準を達成するために練習を重ねて筋肉の痛みを引き起こす。本発明は上記の問題を解決する装置を説明する。
【先行技術文献】
【特許文献】
【０００３】
【特許文献１】中国特許出願公開第１０７６６１６２０号明細書
【発明の概要】
【発明が解決しようとする課題】
【０００４】
本発明はバスケットボールゴールカウント装置を提供し、既存技術にある上記の欠点を解消することを目的とする。
【課題を解決するための手段】
【０００５】
本発明のバスケットボールゴールカウント装置は、バスケットを含み、前記バスケットの中には左右に対称している且つ上に開口しているスライドチャンバが設置され、前記スライドチャンバの中には平行移動装置が設置され、前記平行移動装置の底端外側にはバスケットゴールネットが設置され、左端にある前記スライドチャンバの上側端面にはディスプレー板が設置され、前記ディスプレー板の中にはバスケットと連通し連結される伝動チャンバが設置され、前記伝動チャンバの中には支えブロックが設置され、前記支えブロックには前記平行移動装置に制御される連結装置が回転できるように連結され、前記伝動チャンバの中には前記連結装置の上端に位置しており、且つ前記連結装置に制御される一の位ディスプレーが設置され、前記伝動チャンバの後端内壁にはスライドロッドが設置され、前記スライドロッドには上下に貫通しているスライドレールが設置され、前記スライドレールの中にはローラー枠がスライドできるように連結され、前記ローラー枠の後端と前記スライドレールと間には圧縮バネが連結され、前記ローラー枠には十の位ディスプレーが設置され、前記十の位ディスプレーがそれぞれ前記平行移動装置と前記一の位ディスプレーとに制御される；バスケットボールが前記バスケットゴールネットを通した後に、前記平行移動装置を引き動かし対称中心側に移動させ、その時、前記十の位ディスプレーを前に移動させ、また前記連結装置に通させ、前記連結装置が機械伝動により前記一の位ディスプレーを回転させ、前記一の位ディスプレーが九回に作動するたびに、前記一の位ディスプレーが復帰し、且つ前記十の位ディスプレーを作動させ、これによって類推し、前記十の位ディスプレーに表示された数字がゼロになるまで、完全な百回のゴールである。
【０００６】
有益的に、前記平行移動装置は前記スライドチャンバの底端内壁とスライドできるように連結される支え枠を含み、前記支え枠には固定軸が回転できるように連結され、前記固定軸にはリールが設置され、前記リールと前記支え枠との間にはねじりばねが連結され、前記リールには前記バスケットゴールネットと固定的に連結される引きひもが設置され、前記支え枠のうち対称中心に遠離する端と前記スライドチャンバのうち対称中心に遠離する内壁との間には引っ張りバネが連結され、前記支え枠の上端には歯板が設置され、左端にある前記歯板の上側端面には押しブロックが設置され、バスケットボールが前記バスケットゴールネットを通す時に、バスケットボールの運動エネルギーにより前記バスケットゴールネットを引き動かし、また前記引きひもにより、前記支え枠と前記支え枠と連結される部品とを対称中心に移動させる。
【０００７】
有益的に、前記連結装置は前記支えブロックと回転できるように連結される伝動軸を含み、前記伝動軸には前記支えブロックの後端に位置しているウォームが設置され、前記伝動軸には前記支えブロックの前端に位置している収納枠が設置され、前記収納枠の中には伸縮チャンバが設置され、前記伸縮チャンバの前端内壁には動力軸が回転できるように連結され、前記動力軸には前記歯板と噛み合い連結される歯車が設置され、前記動力軸には前記伸縮チャンバの中に位置しているねじ山盤が設置され、前記伸縮チャンバの内壁には前記歯板と当接しており、且つ配列するように分布している八つの歯元ロッドがスライドできるように連結され、前記歯元ロッドと前記ねじ山盤との間がねじ山により連結され、前記歯元ロッドが前記ねじ山盤で伸縮スライドできることを利用し、前記歯板と当接している関係を選び、構造の一方回転を実現する。
【０００８】
有益的に、前記一の位ディスプレーは前記伝動チャンバの内壁と回転できるように連結される駆動軸を含み、前記駆動軸には渦状紋により連結されるウォームホイールが設置され、前記駆動軸には前記ウォームホイールの左端に位置している主プーリが設置され、前記伝動チャンバの中には前記駆動軸の上端に位置する従動軸が回転できるように連結され、前記従動軸の中には副プーリが設置され、前記副プーリと前記主プーリとの間にはベルトが連結され、前記従動軸には前記副プーリの右端に位置している間欠回し輪が設置され、前記伝動チャンバの右端内壁には前記間欠回し輪と当接している目盛板がスライドできるように連結され、前記目盛板の下端の中には開口溝が設置され、前記伝動チャンバの後端内壁には観察孔が連通し設置され、前記間欠回し輪により前記目盛板を回し上に移動させ、また観察孔により数を観察する。
【０００９】
有益的に、前記十の位ディスプレーは前記伝動チャンバの中に設置され、且つ左右に伸びている回し軸を含み、前記回し軸には自体にピンを持ち、且つ弾性回復できる回転ロッドが回転できように連結され、前記回転ロッドと前記開口溝との間が当接し連結され、前記ローラー枠には上下に対称している回転軸が回転できように連結され、前記回転軸に鎖歯車が設置され、前記鎖歯車の間にはチェーンが連結され、下端にある前記回転軸には前記回転ロッドと当接している回し輪が設置され、上端にある前記回転軸には前記鎖歯車の右端に位置している指示盤が設置され、前記ローラー枠の下端の中には前記押しブロックと当接している当接ブロックが設置され、前記押しブロックが前記当接ブロックを押し、前記ローラー枠を前に移動させ、前記目盛板が前記間欠回し輪との当接を離脱するたびに、前記目盛板が自由に下に移動し、且つ前記回転ロッドをプッシュし回転させ、その時、機械伝動により前記指示盤に指数を切り替えさせる。
【発明の効果】
【００１０】
本発明の有益的な効果には、本発明のバスケットボールの落下の運動エネルギーが設備を起動して動力を供給し、機械式のカウント構造を伝動させることを開始するようになっていて、且つ観察口により数をはっきり観察でき、ゴール数が百に達すると自動的にゼロに戻り、操作が便利であり、数を読むことが簡単である。
【図面の簡単な説明】
【００１１】
説明しやすいため、本発明は以下の具体的な実施例と付図を交え詳しく説明する。
【００１２】
【図１】図１は本発明のバスケットボールゴールカウント装置の全体構成概略図
【図２】図２は図１の中のＡ−Ａ方向の構成概略図
【図３】図３は図１の中のＢ−Ｂ方向の構成概略図
【図４】図４は図２の中のＣ−Ｃ方向の構成概略図
【図５】図５は図３の中の連結装置の構成概略図
【図６】図６は図５の中のＤ−Ｄ方向の構成概略図
【発明を実施するための形態】
【００１３】
下記に図１−６をあわせて本発明について詳しく説明し、便利に説明するために、下記の方向を以下のように規定する：以下に述べる上下左右前後の方向と図１の自身投影関係の上下左右前後の方向とが一致である。
【００１４】
本発明のバスケットボールゴールカウント装置は、バスケット１２を含み、前記バスケット１２の中には左右に対称している且つ上に開口しているスライドチャンバ１５が設置され、前記スライドチャンバ１５の中には平行移動装置９０１が設置され、前記平行移動装置９０１の底端外側にはバスケットゴールネット１１が設置され、左端にある前記スライドチャンバ１５の上側端面にはディスプレー板２１が設置され、前記ディスプレー板２１の中にはバスケット１２と連通し連結される伝動チャンバ２２が設置され、前記伝動チャンバ２２の中には支えブロック４５が設置され、前記支えブロック４５には前記平行移動装置９０１に制御される連結装置９０２が回転できるように連結され、前記伝動チャンバ２２の中には前記連結装置９０２の上端に位置しており、且つ前記連結装置９０２に制御される一の位ディスプレー９０３が設置され、前記伝動チャンバ２２の後端内壁にはスライドロッド３３が設置され、前記スライドロッド３３には上下に貫通しているスライドレール３１が設置され、前記スライドレール３１の中にはローラー枠３４がスライドできるように連結され、前記ローラー枠３４の後端と前記スライドレール３１と間には圧縮バネ３２が連結され、前記ローラー枠３４には十の位ディスプレー９０４が設置され、前記十の位ディスプレー９０４がそれぞれ前記平行移動装置９０１と前記一の位ディスプレー９０３とに制御される；バスケットボールが前記バスケットゴールネット１１を通した後に、前記平行移動装置９０１を引き動かし対称中心側に移動させ、その時、前記十の位ディスプレー９０４を前に移動させ、また前記連結装置９０２に通させ、前記連結装置９０２が機械伝動により前記一の位ディスプレー９０３を回転させ、前記一の位ディスプレー９０３が九回に作動するたびに、前記一の位ディスプレー９０３が復帰し、且つ前記十の位ディスプレー９０４を作動させ、これによって類推し、前記十の位ディスプレー９０４に表示された数字がゼロになるまで、完全な百回のゴールである。
【００１５】
有益的に、前記平行移動装置９０１は前記スライドチャンバ１５の底端内壁とスライドできるように連結される支え枠１８を含み、前記支え枠１８には固定軸１７が回転できるように連結され、前記固定軸１７にはリール１６が設置され、前記リール１６と前記支え枠１８との間にはねじりばね５５が連結され、前記リール１６には前記バスケットゴールネット１１と固定的に連結される引きひもが設置され、前記支え枠１８のうち対称中心に遠離する端と前記スライドチャンバ１５のうち対称中心に遠離する内壁との間には引っ張りバネ１４が連結され、前記支え枠１８の上端には歯板１９が設置され、左端にある前記歯板１９の上側端面には押しブロック５２が設置され、バスケットボールが前記バスケットゴールネット１１を通す時に、バスケットボールの運動エネルギーにより前記バスケットゴールネット１１を引き動かし、また前記引きひも１３により、前記支え枠１８と前記支え枠１８と連結される部品とを対称中心に移動させる。
【００１６】
有益的に、前記連結装置９０２は前記支えブロック４５と回転できるように連結される伝動軸４６を含み、前記伝動軸４６には前記支えブロック４５の後端に位置しているウォーム４２が設置され、前記伝動軸４６には前記支えブロック４５の前端に位置している収納枠４７が設置され、前記収納枠４７の中には伸縮チャンバ５４が設置され、前記伸縮チャンバ５４の前端内壁には動力軸４８が回転できるように連結され、前記動力軸４８には前記歯板１９と噛み合い連結される歯車４９が設置され、前記動力軸４８には前記伸縮チャンバ５４の中に位置しているねじ山盤４０が設置され、前記伸縮チャンバ５４の内壁には前記歯板１９と当接しており、且つ配列するように分布している八つの歯元ロッド５３がスライドできるように連結され、前記歯元ロッド５３と前記ねじ山盤４０との間がねじ山により連結され、前記歯元ロッド５３が前記ねじ山盤４０で伸縮スライドできることを利用し、前記歯板１９と当接している関係を選び、構造の一方回転を実現する。
【００１７】
有益的に、前記一の位ディスプレー９０３は前記伝動チャンバ２２の内壁と回転できるように連結される駆動軸４４を含み、前記駆動軸４４には渦状紋により連結されるウォームホイール５０が設置され、前記駆動軸４４には前記ウォームホイール５０の左端に位置している主プーリ４３が設置され、前記伝動チャンバ２２の中には前記駆動軸４４の上端に位置する従動軸２５が回転できるように連結され、前記従動軸２５の中には副プーリ２４が設置され、前記副プーリ２４と前記主プーリ４３との間にはベルト５１が連結され、前記従動軸２５には前記副プーリ２４の右端に位置している間欠回し輪２３が設置され、前記伝動チャンバ２２の右端内壁には前記間欠回し輪２３と当接している目盛板２６がスライドできるように連結され、前記目盛板２６の下端の中には開口溝４１が設置され、前記伝動チャンバ２２の後端内壁には観察孔２７が連通し設置され、前記間欠回し輪２３により前記目盛板２６を回し上に移動させ、また観察孔２７により数を観察する。
【００１８】
有益的に、前記十の位ディスプレー９０４は前記伝動チャンバ２２の中に設置され、且つ左右に伸びている回し軸３８を含み、前記回し軸３８には自体にピンを持ち、且つ弾性回復できる回転ロッド３９が回転できように連結され、前記回転ロッド３９と前記開口溝４１との間が当接し連結され、前記ローラー枠３４には上下に対称している回転軸３５が回転できように連結され、前記回転軸３５に鎖歯車２９が設置され、前記鎖歯車２９の間にはチェーン３０が連結され、下端にある前記回転軸３５には前記回転ロッド３９と当接している回し輪３６が設置され、上端にある前記回転軸３５には前記鎖歯車２９の右端に位置している指示盤２８が設置され、前記ローラー枠３４の下端の中には前記押しブロック５２と当接している当接ブロック３７が設置され、前記押しブロック５２が前記当接ブロック３７を押し、前記ローラー枠３４を前に移動させ、前記目盛板２６が前記間欠回し輪２３との当接を離脱するたびに、前記目盛板２６が自由に下に移動し、且つ前記回転ロッド３９をプッシュし回転させ、その時、機械伝動により前記指示盤２８に指数を切り替えさせる。
【００１９】
作動する時に、バスケットボールがバスケットゴールネット１１を通し、且つバスケットゴールネット１１を引き動かし、引きひも１３によりリール１６を小さな角度に回させ、また支え枠１８を引き動かし右に移動させ、その時、歯板１９を同期に右に移動させ、歯板１９にある押しブロック５２により当接ブロック３７を押し前に移動させ、歯板１９が噛合により歯車４９を回転させ、歯車４９が動力軸４８によりねじ山盤４０を回転させ、ねじ山盤４０がねじ山伝動により歯元ロッド５３を外に移動させ、また歯板１９との間の当接により伝動軸４６を回転させ、それによりウォーム４２を回転させ、ウォーム４２が噛合伝動によりウォームホイール５０を回転させ、ウォームホイール５０が順次に駆動軸４４と、主プーリ４２と、ベルト５１と、副プーリ２４と、従動軸２５とを回転させ間欠回し輪２３を回転させ、目盛板２６との当接により目盛板２６を押して上に移動させ、また観察孔１７により数を観察し、上記の作業手順を第十回にまで繰り返す時に、間欠回し輪２３が目盛板２６との当接から離脱するにより、目盛板２６が自由に下に移動し、回転ロッド３９を回させ、回し輪３６を回転させ、回し輪３６が回転軸３５と、チェーン３０と、鎖歯車２９により指示盤２８を回転させ、指数を大きくし、百回にゴールした後に、指示盤２８の指数と目盛板２６の指数とはいずれもゼロになる。
【００２０】
本発明の有益的な効果には、本発明のバスケットボールの落下の運動エネルギーが設備を起動して動力を供給し、機械式のカウント構造を伝動させることを開始するようになっていて、且つ観察口により数をはっきり観察でき、ゴール数が百に達すると自動的にゼロに戻り、操作が便利であり、数を読むことが簡単である。
【００２１】
本発明の保護範囲はここに限らないである。全部の創造的な労働を通じなく思いついた変化と取替は本発明の保護範囲にカバーされる。だから本発明の保護範囲は権利要求書が限定される保護範囲を標準とする。
【図１】
2020175093.tif 000003
【図２】
2020175093.tif 000004
【図３】
2020175093.tif 000005
【図４】
2020175093.tif 000006
【図５】
2020175093.tif 000007
【図６】
2020175093.tif 000008
【手続補正書】
【提出日】令和1年6月13日(2019.6.13)
【手続補正１】
【補正対象書類名】特許請求の範囲
【補正対象項目名】全文
【補正方法】変更
【補正の内容】
【特許請求の範囲】
【請求項１】
バスケットボールゴールカウント装置は、バスケットを含み、前記バスケットの中には左右に対称している且つ上に開口しているスライドチャンバが設置され、前記スライドチャンバの中には平行移動装置が設置され、前記バスケットの下側端面にはバスケットゴールネットが固定的に設置され、左端にある前記スライドチャンバの上側端面にはディスプレー板が設置され、前記ディスプレー板の中にはバスケットと連通し連結される伝動チャンバが設置され、前記伝動チャンバの中には支えブロックが設置され、前記支えブロックには前記平行移動装置に制御される連結装置が回転できるように連結され、前記伝動チャンバの中には前記連結装置の上端に位置しており、且つ前記連結装置に制御される一の位ディスプレーが設置され、前記伝動チャンバの後端内壁にはスライドロッドが設置され、前記スライドロッドには上下に貫通しているスライドレールが設置され、前記スライドレールの中にはローラー枠がスライドできるように連結され、前記ローラー枠の後端と前記スライドレールと間には圧縮バネが連結され、前記ローラー枠には十の位ディスプレーが設置され、前記十の位ディスプレーがそれぞれ前記平行移動装置と前記一の位ディスプレーとに制御されることを特徴とするバスケットボールゴールカウント装置。
【請求項２】
前記平行移動装置は前記スライドチャンバの底端内壁とスライドできるように連結される支え枠を含み、前記支え枠には固定軸が回転できるように連結され、前記固定軸にはリールが設置され、前記リールと前記支え枠との間にはねじりばねが連結され、前記リールには前記バスケットゴールネットと固定的に連結される引きひもが設置され、左右両側の前記支え枠の左右両側の端面のうち前記バスケットゴールネットから離れた側の端面の中には引っ張りバネが固定的に連結され、前記支え枠の上端には歯板が設置され、左端にある前記歯板の上側端面には押しブロックが設置され、バスケットボールが前記バスケットゴールネットを通る時に、バスケットボールの運動エネルギーにより前記バスケットゴールネットを引き動かし、また前記引きひもにより、左右両側の前記支え枠と、左右両側の前記支え枠と連結される部品とを左右両側のうち前記バスケットゴールネットから離れた側へ移動させることを特徴とする請求項１に記載のバスケットボールゴールカウント装置。
【請求項３】
前記連結装置は前記支えブロックと回転できるように連結される伝動軸を含み、前記伝動軸には前記支えブロックの後端に位置しているウォームが設置され、前記伝動軸には前記支えブロックの前端に位置している収納枠が設置され、前記収納枠の中には伸縮チャンバが設置され、前記伸縮チャンバの前端内壁には動力軸が回転できるように連結され、前記動力軸には前記歯板と噛み合い連結される歯車が設置され、前記動力軸には前記伸縮チャンバの中に位置し、且つ後側端面には螺旋状のねじ山が設置されたねじ山盤が設置され、前記伸縮チャンバの周側の弧状の内壁の中には前記歯板と当接している八つの歯元ロッドが環状のようにスライドできるように設置され、前記歯元ロッドと前記ねじ山盤とが前記ねじ山盤に設置された螺旋状のねじ山により連結され、前記歯板が右側へ移動する時前記歯車を回転連動させ、更に前記ねじ山盤を回転連動させ、また前記支え枠を連動させて前記収納枠から伸び出させ、この時、一番下側に位置する前記歯元ロッドの下端が前記歯板の上側端面と当接することで、前記歯板が右側に移動するときに前記歯元ロッドを回し、更に前記収納枠を回転連動させ、更に前記ウォームを回転連動させ、また前記歯板が左側へ移動する時、前記ねじ山盤が反転し、更に前記歯元ロッドを連動させて前記収納枠の中に引込ませ、この時前記歯板は前記歯元ロッドを回しなくなることを特徴とする請求項１または請求項２に記載のバスケットボールゴールカウント装置。
【請求項４】
前記一の位ディスプレーは前記伝動チャンバの内壁と回転できるように連結される駆動軸を含み、前記駆動軸には渦状紋により連結されるウォームホイールが設置され、前記駆動軸には前記ウォームホイールの左端に位置している主プーリが設置され、前記伝動チャンバの中には前記駆動軸の上端に位置する従動軸が回転できるように連結され、前記従動軸の中には副プーリが設置され、前記副プーリと前記主プーリとの間にはベルトが連結され、前記従動軸には前記副プーリの右端に位置している間欠回し輪が設置され、前記伝動チャンバの右端内壁には前記間欠回し輪と当接している目盛板がスライドできるように連結され、前記目盛板の下端の中には開口溝が設置され、前記伝動チャンバの右端内壁には観察孔が連通し設置され、前記間欠回し輪により前記目盛板を回し上に移動させ、また観察孔により数を観察することを特徴とする請求項１または請求項３に記載のバスケットボールゴールカウント装置。
【請求項５】
前記十の位ディスプレーは前記伝動チャンバの中に設置され、且つ左右に伸びている回し軸を含み、前記回し軸には自体にピンを持ち、且つ弾性回復できる回転ロッドが回転できように連結され、前記回転ロッドと前記開口溝との間が当接し連結され、前記ローラー枠には上下に対称している回転軸が回転できように連結され、前記回転軸に鎖歯車が設置され、前記鎖歯車の間にはチェーンが連結され、下端にある前記回転軸には前記回転ロッドと当接している回し輪が設置され、上端にある前記回転軸には前記鎖歯車の右端に位置している指示盤が設置され、前記ローラー枠の下端の中には前記押しブロックと当接している当接ブロックが設置され、前記押しブロックが前記当接ブロックを押し、前記ローラー枠を前に移動させ、前記目盛板が前記間欠回し輪との当接を離脱するたびに、前記目盛板が自由に下に移動し、且つ前記回転ロッドをプッシュし回転させ、その時、機械伝動により前記指示盤に指数を切り替えさせることを特徴とする請求項１または請求項４に記載のバスケットボールゴールカウント装置。
【手続補正２】
【補正対象書類名】明細書
【補正対象項目名】全文
【補正方法】変更
【補正の内容】
【発明の詳細な説明】
【技術分野】
【０００１】
本発明はおもちゃ用品技術分野に関わり、具体的にはバスケットボールゴールカウント装置である。
【背景技術】
【０００２】
子供はプロバスケットボールのシュートの練習をする時に、子供の記憶力が自分のゴールの数を覚えられるとは限らないので、基準を達成するために練習を重ねて筋肉の痛みを引き起こす。本発明は上記の問題を解決する装置を説明する。
【先行技術文献】
【特許文献】
【０００３】
【特許文献１】中国特許出願公開第１０７６６１６２０号明細書
【発明の概要】
【発明が解決しようとする課題】
【０００４】
本発明はバスケットボールゴールカウント装置を提供し、既存技術にある上記の欠点を解消することを目的とする。
【課題を解決するための手段】
【０００５】
本発明のバスケットボールゴールカウント装置は、バスケットを含み、前記バスケットの中には左右に対称している且つ上に開口しているスライドチャンバが設置され、前記スライドチャンバの中には平行移動装置が設置され、前記バスケットの下側端面にはバスケットゴールネットが固定的に設置され、左端にある前記スライドチャンバの上側端面にはディスプレー板が設置され、前記ディスプレー板の中にはバスケットと連通し連結される伝動チャンバが設置され、前記伝動チャンバの中には支えブロックが設置され、前記支えブロックには前記平行移動装置に制御される連結装置が回転できるように連結され、前記伝動チャンバの中には前記連結装置の上端に位置しており、且つ前記連結装置に制御される一の位ディスプレーが設置され、前記伝動チャンバの後端内壁にはスライドロッドが設置され、前記スライドロッドには上下に貫通しているスライドレールが設置され、前記スライドレールの中にはローラー枠がスライドできるように連結され、前記ローラー枠の後端と前記スライドレールと間には圧縮バネが連結され、前記ローラー枠には十の位ディスプレーが設置され、前記十の位ディスプレーがそれぞれ前記平行移動装置と前記一の位ディスプレーとに制御される。
【０００６】
有益的に、前記平行移動装置は前記スライドチャンバの底端内壁とスライドできるように連結される支え枠を含み、前記支え枠には固定軸が回転できるように連結され、前記固定軸にはリールが設置され、前記リールと前記支え枠との間にはねじりばねが連結され、前記リールには前記バスケットゴールネットと固定的に連結される引きひもが設置され、左右両側の前記支え枠の左右両側の端面のうち前記バスケットゴールネットから離れた側の端面の中には引っ張りバネが固定的に連結され、前記支え枠の上端には歯板が設置され、左端にある前記歯板の上側端面には押しブロックが設置され、バスケットボールが前記バスケットゴールネットを通る時に、バスケットボールの運動エネルギーにより前記バスケットゴールネットを引き動かし、また前記引きひもにより、左右両側の前記支え枠と、左右両側の前記支え枠と連結される部品とを左右両側のうち前記バスケットゴールネットから離れた側へ移動させる。
【０００７】
有益的に、前記連結装置は前記支えブロックと回転できるように連結される伝動軸を含み、前記伝動軸には前記支えブロックの後端に位置しているウォームが設置され、前記伝動軸には前記支えブロックの前端に位置している収納枠が設置され、前記収納枠の中には伸縮チャンバが設置され、前記伸縮チャンバの前端内壁には動力軸が回転できるように連結され、前記動力軸には前記歯板と噛み合い連結される歯車が設置され、前記動力軸には前記伸縮チャンバの中に位置し、且つ後側端面には螺旋状のねじ山が設置されたねじ山盤が設置され、前記伸縮チャンバの周側の弧状の内壁の中には前記歯板と当接している八つの歯元ロッドが環状のようにスライドできるように設置され、前記歯元ロッドと前記ねじ山盤とが前記ねじ山盤に設置された螺旋状のねじ山により連結され、前記歯板が右側へ移動する時前記歯車を回転連動させ、更に前記ねじ山盤を回転連動させ、また前記支え枠を連動させて前記収納枠から伸び出させ、この時、一番下側に位置する前記歯元ロッドの下端が前記歯板の上側端面と当接することで、前記歯板が右側に移動するときに前記歯元ロッドを回し、更に前記収納枠を回転連動させ、更に前記ウォームを回転連動させ、また前記歯板が左側へ移動する時、前記ねじ山盤が反転し、更に前記歯元ロッドを連動させて前記収納枠の中に引込ませ、この時前記歯板は前記歯元ロッドを回しなくなる。
【０００８】
有益的に、前記一の位ディスプレーは前記伝動チャンバの内壁と回転できるように連結される駆動軸を含み、前記駆動軸には渦状紋により連結されるウォームホイールが設置され、前記駆動軸には前記ウォームホイールの左端に位置している主プーリが設置され、前記伝動チャンバの中には前記駆動軸の上端に位置する従動軸が回転できるように連結され、前記従動軸の中には副プーリが設置され、前記副プーリと前記主プーリとの間にはベルトが連結され、前記従動軸には前記副プーリの右端に位置している間欠回し輪が設置され、前記伝動チャンバの右端内壁には前記間欠回し輪と当接している目盛板がスライドできるように連結され、前記目盛板の下端の中には開口溝が設置され、前記伝動チャンバの右端内壁には観察孔が連通し設置され、前記間欠回し輪により前記目盛板を回し上に移動させ、また観察孔により数を観察する。
【０００９】
有益的に、前記十の位ディスプレーは前記伝動チャンバの中に設置され、且つ左右に伸びている回し軸を含み、前記回し軸には自体にピンを持ち、且つ弾性回復できる回転ロッドが回転できように連結され、前記回転ロッドと前記開口溝との間が当接し連結され、前記ローラー枠には上下に対称している回転軸が回転できように連結され、前記回転軸に鎖歯車が設置され、前記鎖歯車の間にはチェーンが連結され、下端にある前記回転軸には前記回転ロッドと当接している回し輪が設置され、上端にある前記回転軸には前記鎖歯車の右端に位置している指示盤が設置され、前記ローラー枠の下端の中には前記押しブロックと当接している当接ブロックが設置され、前記押しブロックが前記当接ブロックを押し、前記ローラー枠を前に移動させ、前記目盛板が前記間欠回し輪との当接を離脱するたびに、前記目盛板が自由に下に移動し、且つ前記回転ロッドをプッシュし回転させ、その時、機械伝動により前記指示盤に指数を切り替えさせる。
【発明の効果】
【００１０】
本発明の有益的な効果には、本発明のバスケットボールの落下の運動エネルギーが設備を起動して動力を供給し、機械式のカウント構造を伝動させることを開始するようになっていて、且つ観察口により数をはっきり観察でき、ゴール数が百に達すると自動的にゼロに戻り、操作が便利であり、数を読むことが簡単である。
【図面の簡単な説明】
【００１１】
説明しやすいため、本発明は以下の具体的な実施例と付図を交え詳しく説明する。
【００１２】
【図１】図１は本発明のバスケットボールゴールカウント装置の全体構成概略図
【図２】図２は図１の中のＡ−Ａ方向の構成概略図
【図３】図３は図１の中のＢ−Ｂ方向の構成概略図
【図４】図４は図２の中のＣ−Ｃ方向の構成概略図
【図５】図５は図３の中の連結装置の構成概略図
【図６】図６は図５の中のＤ−Ｄ方向の構成概略図
【発明を実施するための形態】
【００１３】
下記に図１−６をあわせて本発明について詳しく説明し、便利に説明するために、下記の方向を以下のように規定する：以下に述べる上下左右前後の方向と図１の自身投影関係の上下左右前後の方向とが一致である。
【００１４】
本発明のバスケットボールゴールカウント装置は、バスケット１２を含み、前記バスケット１２の中には左右に対称している且つ上に開口しているスライドチャンバ１５が設置され、前記スライドチャンバ１５の中には平行移動装置９０１が設置され、前記バスケット１２の下側端面にはバスケットゴールネット１１が固定的に設置され、左端にある前記スライドチャンバ１５の上側端面にはディスプレー板２１が設置され、前記ディスプレー板２１の中にはバスケット１２と連通し連結される伝動チャンバ２２が設置され、前記伝動チャンバ２２の中には支えブロック４５が設置され、前記支えブロック４５には前記平行移動装置９０１に制御される連結装置９０２が回転できるように連結され、前記伝動チャンバ２２の中には前記連結装置９０２の上端に位置しており、且つ前記連結装置９０２に制御される一の位ディスプレー９０３が設置され、前記伝動チャンバ２２の後端内壁にはスライドロッド３３が設置され、前記スライドロッド３３には上下に貫通しているスライドレール３１が設置され、前記スライドレール３１の中にはローラー枠３４がスライドできるように連結され、前記ローラー枠３４の後端と前記スライドレール３１と間には圧縮バネ３２が連結され、前記ローラー枠３４には十の位ディスプレー９０４が設置され、前記十の位ディスプレー９０４がそれぞれ前記平行移動装置９０１と前記一の位ディスプレー９０３とに制御される。
【００１５】
有益的に、前記平行移動装置９０１は前記スライドチャンバ１５の底端内壁とスライドできるように連結される支え枠１８を含み、前記支え枠１８には固定軸１７が回転できるように連結され、前記固定軸１７にはリール１６が設置され、前記リール１６と前記支え枠１８との間にはねじりばね５５が連結され、前記リール１６には前記バスケットゴールネット１１と固定的に連結される引きひもが設置され、左右両側の前記支え枠１８の左右両側の端面のうち前記バスケットゴールネット１１から離れた側の端面の中には引っ張りバネ１４が固定的に連結され、前記支え枠１８の上端には歯板１９が設置され、左端にある前記歯板１９の上側端面には押しブロック５２が設置され、バスケットボールが前記バスケットゴールネット１１を通る時に、バスケットボールの運動エネルギーにより前記バスケットゴールネット１１を引き動かし、また前記引きひも１３により、左右両側の前記支え枠１８と、左右両側の前記支え枠１８と連結される部品とを左右両側のうち前記バスケットゴールネット１１から離れた側へ移動させる。
【００１６】
有益的に、前記連結装置９０２は前記支えブロック４５と回転できるように連結される伝動軸４６を含み、前記伝動軸４６には前記支えブロック４５の後端に位置しているウォーム４２が設置され、前記伝動軸４６には前記支えブロック４５の前端に位置している収納枠４７が設置され、前記収納枠４７の中には伸縮チャンバ５４が設置され、前記伸縮チャンバ５４の前端内壁には動力軸４８が回転できるように連結され、前記動力軸４８には前記歯板１９と噛み合い連結される歯車４９が設置され、前記動力軸４８には前記伸縮チャンバ５４の中に位置し、且つ後側端面には螺旋状のねじ山が設置されたねじ山盤４０が設置され、前記伸縮チャンバ５４の周側の弧状の内壁の中には前記歯板１９と当接している八つの歯元ロッド５３が環状のようにスライドできるように設置され、前記歯元ロッド５３と前記ねじ山盤４０とが前記ねじ山盤４０に設置された螺旋状のねじ山により連結され、前記歯板１９が右側へ移動する時前記歯車４９を回転連動させ、更に前記ねじ山盤４０を回転連動させ、また前記支え枠１８を連動させて前記収納枠４７から伸び出させ、この時、一番下側に位置する前記歯元ロッド５３の下端が前記歯板１９の上側端面と当接することで、前記歯板１９が右側に移動するときに前記歯元ロッド５３を回し、更に前記収納枠４７を回転連動させ、更に前記ウォーム４２を回転連動させ、また前記歯板１９が左側へ移動する時、前記ねじ山盤４０が反転し、更に前記歯元ロッド５３を連動させて前記収納枠４７の中に引込ませ、この時前記歯板１９は前記歯元ロッド５３を回しなくなる。
【００１７】
有益的に、前記一の位ディスプレー９０３は前記伝動チャンバ２２の内壁と回転できるように連結される駆動軸４４を含み、前記駆動軸４４には渦状紋により連結されるウォームホイール５０が設置され、前記駆動軸４４には前記ウォームホイール５０の左端に位置している主プーリ４３が設置され、前記伝動チャンバ２２の中には前記駆動軸４４の上端に位置する従動軸２５が回転できるように連結され、前記従動軸２５の中には副プーリ２４が設置され、前記副プーリ２４と前記主プーリ４３との間にはベルト５１が連結され、前記従動軸２５には前記副プーリ２４の右端に位置している間欠回し輪２３が設置され、前記伝動チャンバ２２の右端内壁には前記間欠回し輪２３と当接している目盛板２６がスライドできるように連結され、前記目盛板２６の下端の中には開口溝４１が設置され、前記伝動チャンバ２２の右端内壁には観察孔２７が連通し設置され、前記間欠回し輪２３により前記目盛板２６を回し上に移動させ、また観察孔２７により数を観察する。
【００１８】
有益的に、前記十の位ディスプレー９０４は前記伝動チャンバ２２の中に設置され、且つ左右に伸びている回し軸３８を含み、前記回し軸３８には自体にピンを持ち、且つ弾性回復できる回転ロッド３９が回転できように連結され、前記回転ロッド３９と前記開口溝４１との間が当接し連結され、前記ローラー枠３４には上下に対称している回転軸３５が回転できように連結され、前記回転軸３５に鎖歯車２９が設置され、前記鎖歯車２９の間にはチェーン３０が連結され、下端にある前記回転軸３５には前記回転ロッド３９と当接している回し輪３６が設置され、上端にある前記回転軸３５には前記鎖歯車２９の右端に位置している指示盤２８が設置され、前記ローラー枠３４の下端の中には前記押しブロック５２と当接している当接ブロック３７が設置され、前記押しブロック５２が前記当接ブロック３７を押し、前記ローラー枠３４を前に移動させ、前記目盛板２６が前記間欠回し輪２３との当接を離脱するたびに、前記目盛板２６が自由に下に移動し、且つ前記回転ロッド３９をプッシュし回転させ、その時、機械伝動により前記指示盤２８に指数を切り替えさせる。
【００１９】
作動する時に、バスケットボールがバスケットゴールネット１１を通し、且つバスケットゴールネット１１を引き動かし、引きひも１３によりリール１６を小さな角度に回させ、また支え枠１８を引き動かし右に移動させ、その時、歯板１９を同期に右に移動させ、歯板１９にある押しブロック５２により当接ブロック３７を押し前に移動させ、歯板１９が噛合により歯車４９を回転させ、歯車４９が動力軸４８によりねじ山盤４０を回転させ、ねじ山盤４０がねじ山伝動により歯元ロッド５３を外に移動させ、また歯板１９との間の当接により伝動軸４６を回転させ、それによりウォーム４２を回転させ、ウォーム４２が噛合伝動によりウォームホイール５０を回転させ、ウォームホイール５０が順次に駆動軸４４と、主プーリ４２と、ベルト５１と、副プーリ２４と、従動軸２５とを回転させ間欠回し輪２３を回転させ、目盛板２６との当接により目盛板２６を押して上に移動させ、また観察孔１７により数を観察し、上記の作業手順を第十回にまで繰り返す時に、間欠回し輪２３が目盛板２６との当接から離脱するにより、目盛板２６が自由に下に移動し、回転ロッド３９を回させ、回し輪３６を回転させ、回し輪３６が回転軸３５と、チェーン３０と、鎖歯車２９により指示盤２８を回転させ、指数を大きくし、百回にゴールした後に、指示盤２８の指数と目盛板２６の指数とはいずれもゼロになる。
【００２０】
本発明の有益的な効果には、本発明のバスケットボールの落下の運動エネルギーが設備を起動して動力を供給し、機械式のカウント構造を伝動させることを開始するようになっていて、且つ観察口により数をはっきり観察でき、ゴール数が百に達すると自動的にゼロに戻り、操作が便利であり、数を読むことが簡単である。
【００２１】
本発明の保護範囲はここに限らないである。全部の創造的な労働を通じなく思いついた変化と取替は本発明の保護範囲にカバーされる。だから本発明の保護範囲は権利要求書が限定される保護範囲を標準とする。